(57)【特許請求の範囲】
【請求項１】
複数のパネルが相互に折り畳み可能に連結され、屋外又は屋内にパネル走行案内手段を介して走行可能に設置される各種の折り畳み式パネルに用いるパネル連結装置であって、
前記各パネルの上下各端部を前記各パネルの正面側及び背面側から挟持して支持可能な溝形形状をなす上下の複数のパネルフレームと、
前記上下の各パネルフレームにおいて相互に隣り合う各パネルフレームの端部間に取り付けられ、当該各パネルフレームを所定の一方向に折り畳み可能にかつ展開可能で前記各パネルフレームの展開時は当該隣り合う各パネルフレームの端部間を所定角度の略Ｖ字形若しくは略逆Ｖ字形又は略逆ハの字形若しくは略ハの字形に規制して保持可能な上下の複数のチェーンを含む索状部材からなる連結部材と、
を備え、
前記各パネルを前記上下の各パネルフレーム間に嵌め込み固定し、前記隣り合う各パネルフレーム間の各連結部材の案内により折り畳み又は展開する、
ことを特徴とする折り畳み式パネルに用いるパネル連結装置。
【請求項２】
上下の各連結部材は、上下の各パネルフレームの上面、下面で当該上面、下面の端部付近の所定の位置にリング形状を有する取付部材が当該リング形状を前記各パネルフレームの折り畳み時の相互の対向面となる一方の側面から外側に突出して取り付けられ、当該取付部材に連結されて、前記各パネルフレームに取り付けられる請求項１に記載の折り畳み式パネルに用いるパネル連結装置。
【請求項３】
複数のパネルが上方に設置されるガイドレールに複数のガイドローラを介して吊り下げられる複数の走行棒に取り付けられる形式の場合、上下のパネルフレームはそれぞれ前記各パネルの上端部及び下端部の延びる方向に対応する長さ方向略中央を各走行棒の所定の位置に合わせて略十字形に取り付けられ、前記各走行棒が前記各パネルを前記各パネルの背面側の両側部間略中央で支持可能な支持構造とする請求項１又は２に記載の折り畳み式パネルに用いるパネル連結装置。
【請求項４】
上下の各パネルフレームと各走行棒との取付位置で前記各パネルフレームに略筒状の取付部材が設けられ、前記各走行棒に前記略筒状の取付部材が嵌挿可能な開口が形成されて、前記各パネルフレームは、前記各パネルフレームの前記取付部材が前記各走行棒の前記開口に嵌挿され、当該各取付部材に取付棒が挿着されて、前記各走行棒に着脱可能に取り付けられる請求項３に記載の折り畳み式パネルに用いるパネル連結装置。
【発明の詳細な説明】
【技術分野】
【０００１】
本発明は、折り畳み式パネルに用いるパネル連結装置に関し、特に、工事現場などにおいて工事用車両が出入するための出入口に仮設する仮設パネルゲートや、工場、倉庫、又は各種施設で比較的大きな屋内空間の間仕切りとして使用する各種の間仕切りパネルなど、屋外及び屋内で使用する複数のパネルを折り畳み可能に連結するのに用いるパネル連結装置に関する。
【背景技術】
【０００２】
一般に、建設工事現場や資材置場などは、安全管理の必要から、当該現場の周囲に、組立式の仮設フェンスが設置され、その一部に、資材や機材等を搬入、搬出するための工事用車両などが出入りするための出入口が設けられて、そこに、組立式の仮設パネルゲートが設置される。
この種の仮設パネルゲートは、左右に相互に対向して立設される一対の支柱、及びこれら支柱の上部間に架設される支持梁と、支持梁の下部にガイドレールと複数のガイドローラからなるパネル走行案内手段を介して走行可能にかつ回転軸を介して回動可能に吊り下げられる複数の走行棒と、各走行棒に折り畳み可能に取り付けられる複数のパネルとを備える。複数のパネルはそれぞれ２枚のパネル材が蝶番を介して連結されて形成され、これら２枚のパネル材が各走行棒間に一端が一方の走行棒に蝶番を介して、他端が他方の走行棒に蝶番を介して折り畳み可能にかつ展開可能に取り付けられる。このようにして各支柱及び支持梁により仮設ゲートが形成され、この仮設ゲートを各パネルの折り畳み又は展開により開閉するようになっている。このような仮設パネルゲートが例えば特許文献１に開示されている。
【０００３】
また、工場、倉庫、又は各種施設などでは、比較的大きな屋内空間の間仕切りとして間仕切りパネルが使用されることがある。この種の間仕切りパネルは、複数のパネルがヒンジを介して折り畳み可能に連結され、パネル走行案内手段をなす天井側に架設されるガイドレールに複数のガイドローラを介して走行可能に、又は床側に敷設されるガイドレールに複数のガイドローラを介して若しくは床上を直接転動可能な複数のガイドローラを介して走行可能に、各間仕切り位置に設置される。このようにして屋内空間の間仕切り位置を各パネルの折り畳み又は展開により開閉するようになっている。
【先行技術文献】
【特許文献】
【０００４】
【特許文献１】特開２００５−７６４２４公報
【発明の概要】
【発明が解決しようとする課題】
【０００５】
しかしながら、この種のパネルの連結形式では、複数のパネルがそれぞれ蝶番を介して連結されていて、各パネルの組み立てに多くの蝶番を用いるので、組み立てが容易でなく、各パネルが比較的厚みがあって大きいものになると、組み立てがより困難となる、という問題がある。また、このような連結形式では、特に吊り下げ式のパネルの場合、各パネルを折り畳んでいくと、各パネルがガイドレールの片側一方に折り畳まれ、各パネルが偏荷重により斜めになって、見栄えが悪く、他面で、各パネルが偏荷重により斜めになっていると、各パネルを展開する場合に、各パネルの走行性を損なうことになり、各パネルが比較的厚みがあって大きいものになると、かかる外観不良や動作性能の低下がより顕著となる、という問題がある。
【０００６】
本発明は、このような従来の問題を解決するものであり、この種の折り畳み式パネルに用いるパネル連結装置において、複数のパネルを、その大きさに関わらず、蝶番を用いることなく簡易に、しかも折り畳みやすくかつ展開しやすく組み立てること、特に吊り下げ式のパネルの場合、各パネルの大きさに関わらず、各パネルを折り畳む場合でも展開する場合でも各パネルを斜めにすることなく正常な姿勢に保持して見栄えを良好にすること、併せて、各パネルの走行性を良好に維持することなど、を目的とする。
【課題を解決するための手段】
【０００７】
上記目的を達成するために、本発明は、複数のパネルが相互に折り畳み可能に連結され、屋外又は屋内にパネル走行案内手段を介して走行可能に設置される各種の折り畳み式パネルに用いるパネル連結装置であって、前記各パネルの上下各端部を前記各パネルの正面側及び背面側から挟持して支持可能な溝形形状をなす上下の複数のパネルフレームと、前記上下の各パネルフレームにおいて相互に隣り合う各パネルフレームの端部間に取り付けられ、当該各パネルフレームを所定の一方向に折り畳み可能にかつ展開可能で前記各パネルフレームの展開時は当該隣り合う各パネルフレームの端部間を所定角度の略Ｖ字形若しくは略逆Ｖ字形又は略逆ハの字形若しくは略ハの字形に規制して保持可能な上下の複数のチェーンを含む索状部材からなる連結部材とを備え、前記各パネルを前記上下の各パネルフレーム間に嵌め込み固定し、前記隣り合う各パネルフレーム間の各連結部材の案内により折り畳み又は展開する、ことを要旨とする。
また、この装置は、さらに次のような構成を備えることが好ましい。
（１）上下の各連結部材は、上下の各パネルフレームの上面、下面で当該上面、下面の端部付近の所定の位置にリング形状を有する取付部材が当該リング形状を前記各パネルフレームの折り畳み時の相互の対向面となる一方の側面から外側に突出して取り付けられ、当該取付部材に連結されて、前記各パネルフレームに取り付けられる。
（２）複数のパネルが上方に設置されるガイドレールに複数のガイドローラを介して吊り下げられる複数の走行棒に取り付けられる形式の場合、上下のパネルフレームはそれぞれ前記各パネルの上端部及び下端部の延びる方向に対応する長さ方向略中央を各走行棒の所定の位置に合わせて略十字形に取り付けられ、前記各走行棒が前記各パネルを前記各パネルの背面側の両側部間略中央で支持可能な支持構造とする。
（３）上記（２）において、上下の各パネルフレームと各走行棒との取付位置で前記各パネルフレームに略筒状の取付部材が設けられ、前記各走行棒に前記略筒状の取付部材が嵌挿可能な開口が形成されて、前記各パネルフレームは、前記各パネルフレームの前記取付部材が前記各走行棒の前記開口に嵌挿され、当該各取付部材に取付棒が挿着されて、前記各走行棒に着脱可能に取り付けられる。
【発明の効果】
【０００８】
本発明の折り畳み式パネルに用いるパネル連結装置によれば、上記の各構成により、次のような効果を奏する。
（１）このパネル連結装置では、各パネルの上下各端部を各パネルの正面側及び背面側から挟持して支持可能な溝形形状をなす上下の複数のパネルフレームと、上下の各パネルフレームにおいて相互に隣り合う各パネルフレームの端部間に取り付けられ、当該各パネルフレームを所定の一方向に折り畳み可能にかつ展開可能で各パネルフレームの展開時は当該隣り合う各パネルフレームの端部間を所定角度の略Ｖ字形若しくは略逆Ｖ字形又は略逆ハの字形若しくは略ハの字形に規制して保持可能な上下の複数のチェーンを含む索状部材からなる連結部材とを備え、各パネルを上下の各パネルフレーム間に嵌め込み固定し、隣り合う各パネルフレーム間の各連結部材の案内により折り畳み又は展開するようにしたので、複数のパネルを、その大きさに関わらず、蝶番を用いることなく簡易に、しかも折り畳みやすくかつ展開しやすく組み立てることができる。
（２）特に、複数のパネルが上方に設置されるガイドレールに複数のガイドローラを介して吊り下げられる複数の走行棒に取り付けられる吊り下げ式のパネルの場合、上下のパネルフレームをそれぞれ長さ方向略中央を各走行棒の所定の位置に合わせて略十字形に取り付け、各走行棒が各パネルを各パネルの背面側の両側部間略中央で支持可能な支持構造とすることにより、各パネルの大きさに関わらず、各パネルを折り畳む場合でも展開する場合でも各パネルを斜めにすることなく正常な姿勢に保持して見栄えを良好にすることができ、併せて、各パネルの走行性を良好に維持することができる。この場合、各パネルフレームに略筒状の取付部材を設け、各走行棒に略筒状の取付部材が嵌挿可能な開口を形成して、各パネルフレームを、各パネルフレームの取付部材を各走行棒の開口に嵌挿し、当該各取付部材に取付棒を挿着して、各走行棒に着脱可能に取り付けることにより、上下の各パネルフレームの各走行棒への取り付けと、上下の各パネルフレームへの各パネルの取り付けを共に少ない部品点数で容易に行え、コストの低減を図ることができる。
【図面の簡単な説明】
【０００９】
【図１】本発明の一実施の形態による折り畳み式パネルに用いるパネル連結装置を示す  斜視図
【図２】同パネル連結装置を図１とは異なる方向から示す斜視図
【図３】同パネル連結装置の使用例を示し、同パネル連結装置を用いて仮設パネルゲー  トの複数のパネルを連結した状態を示す正面図
【図４】図３の要部を示す正面図
【図５】図３の要部を拡大して示す一部省略拡大斜視図
【図６】同パネル連結装置と図３に例示する仮設パネルゲートに用いる走行棒との取付構造を示す部分拡大背面図
【図７】同パネル連結装置の他の使用例を示し、同パネル連結装置を用いて間仕切りパネルの複数のパネルを連結した状態を示す斜視図
【発明を実施するための形態】
【００１０】
次に、この発明を実施するための形態について図を用いて説明する。図１及び図２に折り畳み式パネルに用いるパネル連結装置を示している。
図１及び図２に示すように、符号１０は、複数のパネルが相互に折り畳み可能に連結され、屋外又は屋内にパネル走行案内手段を介して走行可能に設置される各種の折り畳み式パネルに用いるパネル連結装置であり、このパネル連結装置１０は、各パネルの上下各端部を各パネルの正面側及び背面側から挟持して支持可能な溝形形状をなす上下の複数のパネルフレーム１８と、上下の各パネルフレーム１８において相互に隣り合う各パネルフレーム１８の端部間に取り付けられ、当該各パネルフレーム１８を所定の一方向に折り畳み可能にかつ展開可能に隣り合う各パネルフレーム１８の展開時にのみ当該隣り合う各パネルフレーム１８の端部間を所定角度の略Ｖ字形若しくは略逆Ｖ字形又は略逆ハの字形若しくは略ハの字形に規制して保持可能な上下の各パネルフレームの動きに合せてフレキシブルに変形可能な上下の複数の連結部材１９とを備える。
この場合、上下の各連結部材１９にチェーンを含む索状部材が採用され、索状部材は、上下の各パネルフレーム１８の上面、下面で当該上面、下面の端部付近の所定の位置にリング形状を有する取付部材２０が当該リング形状を各パネルフレーム１８の折り畳み時の相互の対向面となる一方の側面から外側に突出して取り付けられ、当該取付部材２０に着脱可能に連結されて、各パネルフレーム１８に着脱可能に取り付けられる。
また、複数のパネルが上方に設置されるガイドレールに複数のガイドローラを介して吊り下げられる複数の走行棒に取り付けられる形式の場合、上下のパネルフレーム１８はそれぞれ各パネルの上端部及び下端部の延びる方向に対応する長さ方向略中央を各走行棒の所定の位置に合わせて略十字形に取り付けられ、各走行棒が各パネルを各パネルの背面側の両側部間略中央で支持可能な支持構造とする。
この場合、上下の各パネルフレーム１８と各走行棒との取付位置で各パネルフレーム１８に略筒状の取付部材１８２が設けられ、各走行棒に略筒状の取付部材が嵌挿可能な開口が形成されて、各パネルフレーム１８は、各パネルフレーム１８の取付部材１８２が各走行棒の開口に嵌挿され、当該各取付部材１８２に取付棒が挿着されて、各走行棒に着脱可能に取り付けられる。
このようにして各パネルを上下の各パネルフレーム１８間に嵌め込み固定し、隣り合う各パネルフレーム１８間の各連結部材１９の案内により折り畳み又は展開するようになっている。
以下、このパネル連結装置１０の使用例を示しながら、その具体的な構成及びその作用効果について詳しく説明する。
【００１１】
図３にこのパネル連結装置１０を用いて仮設パネルゲートの複数のパネルを連結した状態を示している。図３に示すように、仮設パネルゲート１は、左右に相互に対向して立設される一対の支柱１１，１１、及びこれら支柱１１，１１の上部間に架設される支持梁１２と、支持梁１２の下部に走行手段を介して走行可能にかつ回動手段を介して回動可能に吊り下げられる複数の走行棒１４と、各走行棒１４に折り畳み可能に取り付けられる複数のパネル２１とを備えて構成される。なお、このパネルゲート１では、略中央の２枚のパネル２１，２１間を境に右側の各パネル２１と左側の各パネル２１が左右に分かれて折り畳まれ、両開き可能に構成される。
【００１２】
一対の支柱１１，１１はそれぞれ鋼材からなり、各種工事現場などの出入口の左右両側にそれぞれアンカーを介して立ち上げ設置される。
支持梁１２は鋼材からなり、その下面に沿って各走行棒１４の走行手段としてガイドレール１３が取り付けられる。この場合、ガイドレール１３は鋼材により支持梁１２の下面の長手方向に向けて当該下面と略同じ長さに延びる断面略Ｃ字形のガイドレールとして形成され、その上面及び左右両側面（の内面）がガイド面、下面（の内面）が走行面で、下面の走行面に幅方向中央に長手方向に向けてスリットが設けられている。このガイドレール１３は支持梁１２の下面に溶接などにより接合される。このようにして支持梁１２はガイドレール１３が形成されて両端を各支柱１１，１１の上部にボルトにより固定されて各支柱１１，１１の上部間に架け渡される。
【００１３】
複数の走行棒１４はそれぞれ鋼材からなり、上部に軸１５１を介して走行棒１４の走行手段となる走行用ローラ１５が取り付けられ、下部に軸１６１を介して走行棒１４を振れ止めするためのリング１６が取り付けられる。この場合、走行用ローラ１５はガイドレール１３のガイド面内で下面の走行面上を走行可能に構成され、上部の軸１５１はガイドレール１３のスリットを挿通可能な軸で走行用ローラ１５に一体的に連結される。かかる走行用ローラ１５が軸１５１により走行棒１４の上部に相互に回動可能に取り付けられる。このようにして上部の走行用ローラ１５がガイドレール１３のガイド面内で走行面上に走行可能に組み入れられ、回転軸１５１がガイドレール１３の走行面のスリットに通されて、複数の走行棒１４はそれぞれガイドレール１３に沿って走行可能にかつガイドレール１３の各走行用ローラ１５に対して回動可能に吊り下げられる。また、下部のリング１６は軸１６１と一体に形成され、軸１６１により、各走行棒１４の下部に相互に回転可能に取り付けられる。各走行棒１４は下部のリング１６に左右の支柱１１，１１の下部間で地面より僅かに上方の所定の高さに張り渡される振れ止め用のワイヤ１７が通され、各走行棒１４の走行方向及び回動方向の動きを許容されて振れ止めされる。
【００１４】
これらの走行棒１４の上下所定の位置にそれぞれ、既述の上下の複数のパネルフレーム１８が取り付けられる。
この場合、走行棒１４は、図５に示すように、断面コ字形の角材により形成され、上下のパネルフレーム１８，１８はそれぞれ、鋼材により、後述する各パネル２１に対応させて各パネル２１の上端部又は下端部が嵌合可能な下面、上面に開口を有する箱形に形成され、一方の長い側面の両端に開口に連通する略矩形の切り欠き１８１が併せて形成される。このような上下のパネルフレーム１８，１８はそれぞれ、図４に示すように、各パネル２１の上端部及び下端部の延びる方向に対応する長さ方向略中央、この場合、上下の各パネルフレーム１８，１８の切り欠き１８１のない他方の側面の長さ方向中央を各走行棒１４の中央の面の上下所定の位置に略直角に合わせて略十字形に取り付けられ、各走行棒１４が各パネル２１を各パネル２１の背面側の左右両側部間の略中央で支持する支持構造になっている。
また、この場合、上下の各パネルフレーム１８，１８と各走行棒１４との取付位置、すなわち、各パネルフレーム１８の側面中央に、図６に示すように、略円筒状の取付部材１８２が２本その軸方向を上下に向けて平行に設けられ、各走行棒１４の中央の面に各パネルフレーム１８の各取付部材１８２が嵌挿可能に略矩形状の開口１４１が２箇所平行に形成されて、各パネルフレーム１８は、各パネルフレーム１８の各取付部材１８２が各走行棒１４の各開口１４１に嵌挿され、各走行棒１４の各取付部材１８２が嵌挿された側（走行棒１４の背面側）で各取付部材１８２に取付棒１８３が挿着されて、各走行棒１４に着脱可能に取り付けられる。
【００１５】
そして、図５に示すように、中央の一方の走行棒１４から右側の各走行棒１４に取り付けられる上下のパネルフレーム１８，１８と中央の他方の走行棒１４から左側の各走行棒１４に取り付けられる上下のパネルフレーム１８，１８と分けて、これら右側、左側の上下の各パネルフレーム１８において相互に隣り合う各パネルフレーム１８の端部間に、当該各パネルフレーム１８を所定の一方向に折り畳み可能にかつ展開可能に、隣り合う各パネルフレーム１８の展開時にのみ当該隣り合う各パネルフレーム１８の端部間を所定角度の略Ｖ字形若しくは略逆Ｖ字形又は略逆ハの字形若しくは略ハの字形に規制して保持可能な、上下の各パネルフレーム１８，１８の動きに合わせてフレキシブルに変形可能な上下の複数の連結部材１９が取り付けられる。
この場合、上下の各連結部材１９に、既述のとおり、索状部材、ここでは金属製のチェーンが採用される。図５に示すように、チェーン１９は、上下の各パネルフレーム１８，１８の上面、下面で当該上面、下面の端部付近の所定の位置にリング形状を有する取付部材２０が当該リング形状を各パネルフレーム１８の折り畳み時の相互の対向面となる一方の側面から外側に突出して取り付けられ、この取付部材２０に連結される。
また、この場合、取付部材２０はリング形状を開閉可能な例えばレバー式（リング形状の一部がレバーで、このレバーでリング形状を開閉できる形式）の周知の連結解除手段を有し、チェーン２０は取付部材２０に連結解除手段により着脱可能に連結され、隣り合う各パネルフレーム１８，１８間に着脱可能に取り付けられる。
【００１６】
なお、このパネルゲート１では、各パネル２１に多孔質吸音材からなる平板状のパネル基材とこのパネル基材を被覆する遮音性を有するパネルシートとからなり、全体が上下方向に長い長方形で少し厚みのある平板状に構成され、吸音性・防音性に優れたパネルが採用される。これらのパネル２１には、各パネル２１の側部間に各パネル２１の側部間を補助的に連結し、各パネル２１の側部間の隙間を塞ぐカバー２２が着脱可能に設けられる。この場合、カバー２２は、図３に示すように、相互に隣り合うパネル２１の一方のパネル２１のパネルシートの一端に他方のパネル２１のパネルシートの他端に重合可能な閉じ代として形成され、カバー２２の内面に雄側又は雌側の面ファスナが設けられ、他方のパネル２１のパネルシートの他端に雌側又は雄側の面ファスナが設けられて、各パネル２１の谷折の端部間は一方のパネル２１のパネルシート一端のカバー２２を他方のパネル２１のパネルシートの他端に重合接続し、山折りの端部間は一方のパネル２１のパネルシート一端のカバー２２と他方のパネル２１のパネルシートの他端との間にさらに同じ遮音材からなる別体の延長カバーを雄側及び雌側の面ファスナを介して接続するようになっている。これらのパネル２１は各走行棒１４への上下の各パネルフレーム１８，１８の取り付けとともに、上下の各パネルフレーム１８，１８間に差し込まれて取り付けられ、各パネルフレーム１８，１８の一端の切り欠き１８１から各カバー２２が外側に取り出されて各パネルフレーム１８，１８の他端の切り欠き１８１を通じてパネルシートの他端に重合され、各パネル２１，２１間で面ファスナを介して接続される。なお、この場合、最も左側及び右側の上下の各パネルフレーム１８，１８は支柱１１，１１側の端部がチェーンなどを用いて左右両側の各支柱１１，１１に連結固定される。
【００１７】
このようにしてこの仮設パネルゲート１では、各支柱１１，１１及び支持梁１２により仮設ゲートが形成され、支持梁１２の下面のガイドレール１３に吊り下げられる各走行棒１４の上下の各パネルフレーム１８，１８間に各パネル２１が支持されて、各パネル２１を隣り合う各パネルフレーム１８，１８間の各連結部材１９、この場合、各チェーン１９の案内により折り畳み又は展開することにより、仮設ゲートを開閉するようになっている。
【００１８】
図３では仮設パネルゲート１の各パネル２１を展開して、仮設ゲートを閉じた状態を示している。この場合、各パネル２１は各パネルフレーム１８，１８間のチェーン１９が伸び切った状態になっていて、これらのチェーン１９により隣り合う各パネルフレーム１８，１８の端部間が所定角度の略Ｖ字形若しくは略逆Ｖ字形又は略逆ハの字形若しくは略ハの字形に規制され、各パネルフレーム１８，１８の端部間に各パネルフレーム１８の開動時の引き動作によって各パネルフレーム１８を所定の一方向に折り畳み可能な角度状態が保持される。したがって、中央の各パネル１８，１８をそれぞれ右方向、左方向に引けば、右側中央のパネル２１は右側の折り畳み方向に回動して中央のパネル２１から順次右側の各パネル２１が右側方向に折り畳まれ、左側中央のパネル２１は左側の折り畳み方向に回動して中央のパネル２１から順次左側の各パネル２１が左側方向に折り畳まれる。このようにして左右のパネル２１がすべて右側、左側に分けて折り畳まれ、仮設ゲートが開かれる。また、この仮設パネルゲート１では各走行棒１４が各パネル２１を各パネル２１の背面側の左右両側部間の略中央で支持する支持構造になっているので、仮設ゲートの開状態で左右の各パネル２１の左右両側は支持梁１２の前後に略均等に張り出されてバランスが取れるので、各パネル２１が従来のように偏荷重により斜めになることがなく、正常な姿勢に保持され、また、各走行棒１４の走行性が良好に維持されることになる。
そして、この仮設ゲートの各パネル２１が折り畳まれて開放された状態から各パネル２１を展開して仮設ゲートを閉じる場合は、左右に折り畳まれた状態のパネル２１から手前にある中央のパネル２１をそれぞれ中央に向けて引けば、右側中央のパネル２１は走行用ローラ１５のスムーズな走行によりパネルフレーム１８が所定の一方向、すなわち展開方向に回動して中央のパネル２１から順次右側の各パネル２１が中央に向けて移動しながら展開され、左側中央のパネル２１もまた走行用ローラ１５のスムーズな走行によりパネルフレーム１８が所定の一方向、すなわち展開方向に回動して中央のパネル２１から順次左側の各パネル２１が中央に向けて移動しながら展開される。そして、各パネル２１は上下の隣り合う各パネルフレーム１８，１８間の各チェーン１９が伸び切った状態になると、これらのチェーン１９により上下の隣り合う各パネルフレーム１８，１８の端部間が所定角度の略Ｖ字形若しくは略逆Ｖ字形又は略逆ハの字形若しくは略ハの字形に規制され、各パネルフレーム１８，１８の端部間に各パネルフレーム１８の開動時の引き動作によって各パネルフレーム１８を所定の一方向に折り畳み可能な角度状態が保持される。これにより、既述のとおり、各パネル２１は従来のように偏荷重により斜めになることがなく、正常な姿勢に保持され、また、各走行棒１４の走行性が良好に維持されることになる。このようにしてすべてのパネル２１が展開されて、仮設ゲートが閉じられる。
【００１９】
このようにこの仮設パネルゲート１では、各走行棒１４の上下所定の位置にそれぞれ、各パネル２１の上下各端部を各パネル２１の正面側及び背面側から挟持して支持可能な溝形形状をなす上下の複数のパネルフレーム１８，１８を取り付け、上下の各パネルフレーム１８，１８において相互に隣り合う各パネルフレーム１８，１８の端部間に、当該各パネルフレーム１８，１８を所定の一方向に折り畳み可能にかつ展開可能に隣り合う各パネルフレーム１８，１８の展開時にのみ当該隣り合う各パネルフレーム１８，１８の端部間を所定角度の略Ｖ字形若しくは略逆Ｖ字形又は略逆ハの字形若しくは略ハの字形に規制して保持可能な、上下の各パネルフレーム１８，１８の動きに合せてフレキシブルに変形可能な上下の複数の連結部材、この場合、チェーン１９を取り付け、各パネル２１を上下の各パネルフレーム１８，１８間に支持して、隣り合う各パネルフレーム１８，１８間の各チェーン１９の案内により折り畳み又は展開するようにしたので、各パネル２１を従来のように多くの蝶番を用いることなく、容易に組み立てることができ、また、各パネル２１の大きさに関わらず、各パネル２１を折り畳む場合でも展開する場合でも各パネル２１を斜めにすることなく正常な姿勢に保持して見栄えを良好にすることができる。そして、各パネル２１を斜めにすることなく正常な姿勢に保持することで、各走行棒１４の走行性を良好に維持することができる。
【００２０】
また、この仮設パネルゲート１の場合、さらに次のような構成により次のような作用効果を得ることができる。
（１）上下のパネルフレーム１８，１８をそれぞれ各パネル２１の上端部及び下端部の延びる方向に対応する長さ方向略中央を各走行棒１４の所定の位置に合わせて略十字形に取り付けて、各走行棒１４が各パネル２１を各パネル２１の背面側の左右両側部間の略中央で支持する支持構造としたので、仮設ゲート１の開状態で左右に折り畳まれた各パネル２１の左右両側を支持梁１２の前後に略均等に張り出してバランスを取ることができ、各パネル２１に偏荷重が生じることがなく、各パネル２１の正常な姿勢の保持と、各走行棒１４の良好な走行性に資することができる。
（２）上下の各パネルフレーム１８，１８と各走行棒１４との取付位置で各パネルフレーム１８に略円筒状の取付部材１８２を設け、各走行棒１４に略円筒状の取付部材１８２を嵌挿可能な矩形状の開口１４１を形成して、各パネルフレーム１８を、各パネルフレーム１８の取付部材１８２を各走行棒１４の開口１４１に嵌挿し、当該各取付部材１８２に取付棒１８３を挿着して、各走行棒１４に着脱可能に取り付けるので、上下の各パネルフレーム１８，１８の各走行棒１４への取り付けと、上下の各パネルフレーム１８，１８への各パネル２１の取り付けを共に少ない部品点数で容易に行え、コストの低減を図ることができる。
（３）上下の各連結部材１９にチェーンを採用し、チェーン１９を、上下の各パネルフレーム１８，１８の上面及び下面で当該上面及び下面の端部付近の所定の位置にリング形状を有する取付部材２０を当該リング形状を各パネルフレーム１８の折り畳み時の相互の対向面となる一方の側面から外側に突出するように取り付け、この取付部材２０に当該取付部材２０に有する連結解除手段を介して着脱可能に連結して、各パネルフレーム１８に着脱可能に取り付けるので、上下の各パネルフレーム１８，１８の連結部材１９を簡易な構成で容易に取り付けることができ、この簡易な構成によりコストの低減を図ることができる。
【００２１】
なお、この使用例では、連結部材１９に索状部材が採用され、特に、チェーンが例示されているが、金属製のワイヤやロープ、ゴム製や布製の紐などを利用することもでき、さらに、複数のリンク部材を連結してなる連結部材を採用することもできる。また、この連結部材１９はチェーンその他の索状部材に限定されるものではなく、チェーンなどと同じ作用を有するものであれば、他のものに適宜変更される。
また、ここで例示したパネルゲート１では、各複数のパネル２１が上方に設置されるガイドレール１３に複数の走行用ローラ１５を介して吊り下げられる複数の走行棒１４に取り付けられる形式になっているが、複数のパネル２１が地面上に敷設されるガイドレールに複数のガイドローラを介して或は地面上を直接転動可能な複数のガイドローラを介して走行可能に設置される形式であっても、各パネル２１を複数のパネルフレーム１８及び連結部材１９を同様に用いて同様に連結することができ、上記と概ね同様の作用効果を得ることができる。
【００２２】
図７にこのパネル連結装置１０を用いて、工場、倉庫、又は各種施設などで使用される間仕切りパネルの複数のパネルを連結した状態を示している。
図７に示すように、この種の間仕切りパネル３は、複数のパネル３１が相互に折り畳み可能に連結され、パネル走行案内手段をなす床上若しくは地上を直接転動可能な複数のガイドローラ３２を介して走行可能に、各間仕切り位置に設置される。
このパネル連結装置１０では、各パネル３１の上下各端部を各パネルの正面側及び背面側から挟持して支持可能な溝形形状をなす上下の複数のパネルフレーム１８と、上下の各パネルフレーム１８において相互に隣り合う各パネルフレーム１８の端部間に取り付けられ、当該各パネルフレーム１８を所定の一方向に折り畳み可能にかつ展開可能に隣り合う各パネルフレーム１８の展開時にのみ当該隣り合う各パネルフレーム１８の端部間を所定角度の略Ｖ字形若しくは略逆Ｖ字形又は略逆ハの字形若しくは略ハの字形に規制して保持可能な、上下の各パネルフレームの動きに合せてフレキシブルに変形可能な上下の複数の連結部材１９とを備え、屋内空間の間仕切り位置を各パネル３１の折り畳み又は展開により開閉するようになっている。
この場合、各パネル３１は金属材又は合成樹脂材により縦方向に長い長方形の平板に形成され、上下のパネルフレーム１８，１８はそれぞれ、金属材又は合成樹脂材により、各パネル３１に対応させて各パネル３１の上端部又は下端部が嵌合可能な下面、上面に開口を有する箱形に形成される。なお、このパネルフレーム１８，１８の場合、いずれの側面にも切り欠きは形成されない。これら上下の各パネルフレーム１８，１８はそれぞれ、各パネル３１の上下の各端部に外嵌固定される。また、下部のパネルフレーム１８のうち、適宜の位置のパネルフレーム１８に２個のローラ３２０，３２０を並列に有するガイドローラ３２が取り付けられる。
【００２３】
そして、これら上下の各パネルフレーム１８，１８において相互に隣り合う各パネルフレーム１８，１８の端部間に、当該各パネルフレーム１８，１８を所定の一方向に折り畳み可能にかつ展開可能に、隣り合う各パネルフレーム１８，１８の展開時にのみ当該隣り合う各パネルフレーム１８，１８の端部間を所定角度の略Ｖ字形若しくは略逆Ｖ字形又は略逆ハの字形若しくは略ハの字形に規制して保持可能な、上下の各パネルフレーム１８，１８の動きに合わせてフレキシブルに変形可能な上下の複数の連結部材１９が取り付けられる。
この場合も、上記と同様に、上下の各連結部材１９に金属製のチェーンが採用され、このチェーン１９は、上下の各パネルフレーム１８，１８の上面、下面で当該上面、下面の端部付近の所定の位置にリング形状を有する取付部材２０が当該リング形状を各パネルフレーム１８の折り畳み時の相互の対向面となる一方の側面から外側に突出して取り付けられ、この取付部材２０に着脱可能に連結される。
このようにしても上記と同様に、複数のパネル３１を、その大きさに関わらず、蝶番を用いることなく簡易に、しかも折り畳みやすくかつ展開しやすく組み立てることができる。
【００２４】
なお、この使用例でも、連結部材１９に索状部材が採用され、特に、チェーンが例示されているが、金属製のワイヤやロープ、ゴム製や布製の紐などを利用することもでき、さらに、複数のリンク部材を連結してなる連結部材を採用することもできる。また、この連結部材１９はチェーンその他の索状部材に限定されるものではなく、チェーンなどと同じ作用を有するものであれば、他のものに適宜変更される。
また、ここで例示した間仕切りパネルでは、複数のパネル３１が地面上を直接転動可能な複数のガイドローラ３２を介して走行可能に設置される形式になっているが、複数のパネルが地面上に敷設されるガイドレールに複数のガイドローラを介して走行される形式でもよく、また、各複数のパネルが上方に設置されるガイドレールに複数のガイドローラを介して吊り下げられる形式であってもよく、いずれの形式でも、各パネルを複数のパネルフレーム及び連結部材を同様に用いて同様に連結することができ、上記と概ね同様の作用効果を得ることができる。
【符号の説明】
【００２５】
１  仮設パネルゲート
１０  折り畳み式パネルに用いるパネル連結装置
１１  支柱
１２  支持梁
１３  ガイドレール
１４  走行棒
１４１  開口
１５  走行用ローラ
１５１  軸
１６  リング
１６１  軸
１７  ワイヤ
１８  パネルフレーム
１８１  切り欠き
１８２  取付部材
１８３  取付棒
１９  連結部材（チェーン）
２０  取付部材
２１  パネル
２２  カバー
３  間仕切りパネル
３１  パネル
３２  ガイドローラ
３２０  ローラ
【図１】
0005331152.tif 000002
【図２】
0005331152.tif 000003
【図３】
0005331152.tif 000004
【図４】
0005331152.tif 000005
【図５】
0005331152.tif 000006
【図６】
0005331152.tif 000007
【図７】
0005331152.tif 000008